(57)【要約】【課題】スタータ回路とＸ線管を接続するケーブルからの放射ノイズを、簡単な構成で抑制できるＸ線撮影装置を提供する。【解決手段】Ｘ線管装置３を支持する支持器４に対して、所定の操作（電磁ロックスイッチ５１の解除）がなされた場合、陽極を第１の回転数で予備回転させる。その後、第１の撮影スイッチ１１が操作された場合には、陽極を第２の回転数で回転させる。その後第２の撮影スイッチ１１が操作された場合には、高電圧発生回路２から所定の高電圧を陰極と陽極間に印加してＸ線を発生させる。このように陽極を予備回転させることにより、電圧値の低い駆動電力で陽極回転数を撮影に必要な第２の回転数まで上昇させることができる。【選択図】図１
2014191935.tif 000002
【特許請求の範囲】
【請求項１】
陰極と、陽極と、前記陽極を回転させる回転駆動部とを備えたＸ線管装置と、前記Ｘ線管装置を移動可能に支持する支持器と、高電圧発生装置と、第１および第２の撮影スイッチを備えた操作卓とを有し、
前記高電圧発生装置は、前記陰極と陽極間に供給する所定の高電圧を発生する高電圧発生回路と、前記回転駆動部に供給する駆動電力を発生するスタータ回路と、制御部とを備え、
前記制御部は、前記支持器に対して所定の操作がなされた場合、前記陽極を第１の回転数で予備回転させるための第１駆動電力の発生を前記スタータ回路に指示し、その後前記第１の撮影スイッチが操作された場合には、前記陽極を第２の回転数で回転させるための第２駆動電力の発生を前記スタータ回路に指示し、その後前記第２の撮影スイッチが操作された場合には、前記高電圧発生回路に前記所定の高電圧の発生を指示することを特徴とするＸ線撮影装置。
【請求項２】
請求項１に記載のＸ線撮影装置であって、前記支持器は、前記支持器の移動をロックするロックスイッチを備え、
前記支持器に対する前記所定の操作は、前記ロックスイッチを解除する操作であることを特徴とするＸ線撮影装置。
【請求項３】
請求項１に記載のＸ線撮影装置であって、前記支持器は、コリメータと、前記コリメータのＸ線照射範囲を光で示す照射ランプと、前記照射ランプのスイッチとを備え、
前記支持器に対する前記所定の操作は、前記照射ランプの前記スイッチをオンにする操作であることを特徴とするＸ線撮影装置。
【請求項４】
請求項１に記載のＸ線撮影装置であって、前記第１の回転数は、前記第２の回転数よりも低く、前記第１駆動電力の電圧は、前記第２駆動電力の電圧よりも低いことを特徴とするＸ線撮影装置。
【請求項５】
請求項１に記載のＸ線撮影装置であって、前記制御部は、前記第１駆動電力の発生を指示した後、前記陽極の回転数が前記第１の回転数に達したならば、前記第１の撮影スイッチが操作されるまでの期間、前記第１の回転数を維持するための維持用駆動電力を間欠的に前記スタータ回路に発生させることを特徴とするＸ線撮影装置。
【請求項６】
請求項１に記載のＸ線撮影装置であって、前記制御部は、前記高電圧発生回路に前記所定の高電圧の発生を指示した後、所定の時間が経過するまでは、前記支持器に対して前記所定の操作がなされた場合であっても、前記第１駆動電力の発生を指示しないことを特徴とするＸ線撮影装置。
【請求項７】
請求項１に記載のＸ線撮影装置であって、前記制御部は、前記陽極を前記第１の回転数で予備回転させるための前記第１駆動電力の発生を前記スタータ回路に指示した後、前記第１の撮影スイッチが操作される前に、前記所定の操作とは異なる別の所定の操作が前記支持器に対してなされた場合、前記陽極を前記第１の回転数よりも大きい回転数で予備回転させるための駆動電力の発生を前記スタータ回路に指示することを特徴とするＸ線撮影装置。
【請求項８】
請求項１に記載のＸ線撮影装置であって、前記第１および第２の撮影スイッチはそれぞれ、２段スイッチの１段目と２段目であることを特徴とするＸ線撮影装置。
【発明の詳細な説明】
【技術分野】
【０００１】
本発明は、Ｘ線撮影装置に関し、特に、Ｘ線管の陽極回転の制御に関するものである。
【背景技術】
【０００２】
従来技術のＸ線装置は、特許文献１に記載されているように、操作者が撮影準備ボタンを押したならば、Ｘ線管の回転陽極を回転駆動する駆動回路にスタータ回路が起動電力を供給し、回転陽極を回転させる。回転陽極の回転数が所定の回転数に達したならば、撮影準備完了表示が点灯する。これにより、操作者は、撮影スイッチを押して撮影することが可能になる。操作者が、回転陽極の回転数が所定の回転数に達した後、操作者が撮影スイッチの押すまでの間は、スタータ回路が間欠的に駆動電力を駆動回路に加えて、所定の回転数を維持し続ける。起動電力は、例えばＡＣ５００Ｖ（１８０Ｈｚ）、９Ａであり、これを３．５秒程度供給し、所定の回転数である９０００回転／分以上に到達させることが特許文献１には開示されている。
【先行技術文献】
【特許文献】
【０００３】
【特許文献１】特開２０００−２８６０９２号公報
【発明の概要】
【発明が解決しようとする課題】
【０００４】
スタータ回路は、通常、撮影室に配置されるＸ線高電圧装置に内蔵されている。Ｘ線管は、陽極回転駆動回路やコリメータや支持器等とともに、例えば天井から懸架され、被検体の近くに配置される。このため、Ｘ線高電圧装置内のスタータ回路とＸ線管とは、壁面や天井を引き回した長いケーブル（例えば１０ｍ以上のケーブル）を介して接続されるのが一般的である。しかしながら、この長いケーブルには、陽極を回転駆動するために交流の高電圧（５００Ｖ）の起動電圧が印加され、長いケーブルから大きな放射ノイズが生じるという問題がある。放射ノイズは、陽極回転駆動回路にローパスフィルタ等のフィルタを追加することや、上記ケーブルとしてシールドケーブルを用いることにより低減することができるが、装置が大型になり、しかも高価格化するという問題が生じる。また、シールドケーブルは、シールドを接地（アース）し、シールドに誘起される電流をアースに流す必要がある。アースに電流が流れると、電源ラインのアースに電流が流れ、伝導ノイズを増加させてしまうという問題も生じる。
【０００５】
本発明の目的は、スタータ回路とＸ線管を接続するケーブルからの放射ノイズを、簡単な構成で抑制できるＸ線撮影装置を提供することにある。
【課題を解決するための手段】
【０００６】
前述した目的を達成するために本発明は、Ｘ線管装置を支持する支持器に対して所定の操作がなされた場合、陽極を第１の回転数で予備回転させる。その後、第１の撮影スイッチが操作された場合には、陽極を第２の回転数で回転させる。その後第２の撮影スイッチが操作された場合には、高電圧発生回路から所定の高電圧を陰極と陽極間に印加してＸ線を発生させる。
【発明の効果】
【０００７】
本発明では、支持器に対して所定の操作がなされた場合、陽極を予備回転させるため、第１の撮影スイッチが操作された場合に、比較的低い駆動電圧で撮影に必要な回数数まで陽極回転数を上昇させることができる。これにより、スタータ回路とＸ線管装置の陽極間のケーブルから発生する放射ノイズを抑制することができる。
【図面の簡単な説明】
【０００８】
【図１】第１の実施形態のＸ線撮影装置１の全体構成を示すブロック図。
【図２】図１のＸ線高電圧装置２の詳しい構成を示すブロック図。
【図３】（ａ）図２のスタータ回路の構成を示す説明図、（ｂ）スタータ回路の出力波形を示す説明図。
【図４】図１の装置の支持器４を移動させて被検体１００に近づける動作を示す説明図。
【図５】第１の実施形態の制御部２５の動作を示すフローチャート。
【図６】第１の実施形態のＸ線撮影装置において、電磁ロックスイッチの出力信号と、撮影スイッチの出力信号と、固定子コイルの駆動電力と、陽極回転数との関係を示す説明図。
【図７】比較例のＸ線撮影装置において、撮影スイッチの出力信号と、固定子コイルに供給される駆動電力と、陽極回転数との関係を示す説明図。
【図８】第２の実施形態のＸ線高電圧装置２の詳しい構成を示すブロック図。
【図９】第３の実施形態の制御部２５の動作を示すフローチャート。
【図１０】第３の実施形態のＸ線撮影装置において、電磁ロックスイッチの出力信号と、照射ランプのスイッチの出力信号と、撮影スイッチの出力信号と、固定子コイルに供給される駆動電力と、陽極回転数との関係を示す説明図。
【発明を実施するための形態】
【０００９】
本発明のＸ線撮影装置は、図１および図２に示すように、陰極３１と、陽極３２と、陽極３２を回転させる回転駆動部３３，３５とを備えたＸ線管装置３と、Ｘ線管装置３を移動可能に支持する支持器４と、高電圧発生装置２と、第１および第２の撮影スイッチ１１を備えた操作卓１とを有して構成される。
【００１０】
Ｘ線高電圧装置２は、陰極３１と陽極３２間に供給するための所定の高電圧を発生する高電圧発生回路２１〜２４と、回転駆動部３５に供給する交流の駆動電力を発生するスタータ回路２６と、制御部２５とを備えている。制御部２５は、支持器４に対して所定の操作がなされた場合、陽極３２を第１の回転数で予備回転させるための第１駆動電力の発生をスタータ回路２６に指示する。その後、第１の撮影スイッチ１１が操作された場合には、陽極３２を第２の回転数で回転させるための第２駆動電力の発生をスタータ回路２６に指示する。その後、第２の撮影スイッチ１１が操作された場合には、高電圧発生回路２１〜２４に所定の高電圧の発生を指示する。これにより、Ｘ線を発生させ、撮影を実行する。
【００１１】
支持器４に対する前述の所定の操作としては、支持器４に備えられたロックスイッチ４１を解除する操作とすることができる。これにより、操作者が、支持器４の移動を可能にするために、ロックスイッチ４１を操作した場合には、陽極の予備回転が開始される。これについては、第１の実施形態で詳しく説明する。
【００１２】
また、支持器４に対する前述の所定の操作の別の例としては、支持器４に備えられた照射ランプのスイッチ５１をオンにする操作とすることもできる。これにより、操作者が、コリメータのＸ線照射範囲を光で示す照射ランプをオンにした場合には、陽極の予備回転が開始される。この構成については、第２の実施形態で詳しく説明する。
【００１３】
以下図面に基づいて、本発明の実施形態のＸ線撮影装置を詳細に説明する。
【００１４】
（第１の実施形態）
まず、図１を参照して、第１の実施形態の一般撮影用のＸ線撮影装置の構成について説明する。
【００１５】
図１に示すように、Ｘ線撮影装置は、操作者がＸ線撮影の条件設定やＸ線照射開始を指示するための操作卓１と、Ｘ線を発生させるための高電圧や陽極回転駆動電力を発生するＸ線高電圧装置２と、Ｘ線高電圧装置２から高電圧や陽極回転駆動電力の供給を受けＸ線を発生するＸ線管装置３と、Ｘ線管装置３を支持する支持器４と、Ｘ線の受光部を備えたＸ線撮影台６とを備えている。
【００１６】
図１では、支持器４が天井走行型である例を示している。支持器４には、電磁ロックスイッチ４１と、Ｘ線の照射範囲を制限するコリメータ５とが備えられている。電磁ロックスイッチ４１を押し、電磁ロックを解除することにより、支持器４を、天井のレールに沿った水平移動、上下移動および回転移動等させることができる。これにより、Ｘ線管装置３を被検体に近づけ、撮影部位に位置合わせすることができる。
【００１７】
また、図１では、Ｘ線撮影台６は、立位撮影台である場合を示しているが、これに限らず、寝台型の撮影台を用いることも可能である。
【００１８】
操作卓１は、撮影室７に配置され、Ｘ線高電圧装置２、Ｘ線管装置３、支持器４および撮影台６は、撮影室８に配置されている。Ｘ線高電圧装置２とＸ線管装置３は、床下や壁面や天井を引き回されたケーブル９によって接続されている。ケーブル９は、Ｘ線発生のための高電圧用や陽極回転駆動用の複数の配線で構成されている。また、Ｘ線高電圧装置２と操作卓１は、床下を引き回したケーブル１０によって接続されている。
【００１９】
次に、図２を参照して、Ｘ線高電圧装置２およびＸ線管装置３の詳しい構成について説明する。
【００２０】
図２に示すように、Ｘ線管装置３は、発生したＸ線を透過する管球３４と、この管球３４内に配置された、陰極（電子発生源）３１、陽極（ターゲット）３２、および、陽極３２を回転させる駆動部とを備える。この駆動部は、陽極３２に接続された回転子３３と、管球３４の外側に配置され、回転子３３に磁界を印加して回転させる固定子コイル３５とを含む。
【００２１】
Ｘ線高電圧装置２は、ダイオードモジュール２１、昇圧チョッパ回路２３、インバータ回路２３、高電圧発生回路２４、スタータ回路２６、および、制御部２５を備える。
【００２２】
ダイオードモジュール２１は、交流電源（例えば商用交流電源）から供給される交流電圧を整流する。昇圧チョッパ回路２２は、ダイオードモジュール２１によって整流された電圧を昇圧し、インバータ回路２３及びスタータ回路２６にそれぞれ供給する。
【００２３】
スタータ回路２３は、制御部２５から入力される制御信号に応じて、所定の電圧および周波数の２相の交流電力を発生し、Ｘ線管装置３の固定子コイル３５に供給する。これにより、固定子コイル３５は、２相の交番磁界を発生し、回転子３３を回転させることにより、所定の回転数で陽極３２を回転させる。
【００２４】
インバータ回路２３は、制御部２５から入力される制御信号に応じて、昇圧チョッパ回路２２から供給された電圧を高周波交流出力に変換し、高電圧発生回路２４に出力する。高電圧発生回路２４は、インバータ回路２３から供給された交流出力を直流出力に変換して、Ｘ線管装置３の陽極３２と陰極３１間に印加する。これにより、回転している陽極３２に、陰極３１が発生した電子が照射され、Ｘ線が発生する。Ｘ線は、管球３４を透過し、コリメータ５により照射範囲を制限されて、撮影台６の前の被検体に照射される。被検体を透過したＸ線は、Ｘ線の受光部によって受光される。
【００２５】
図３（ａ）を用いて、スタータ回路２６についてさらに説明する。スタータ回路２６は、ＩＧＢＴ（絶縁バイポーラトランジスタ）２６１とダイオード２６２を逆並列に接続したものを２つ直列に接続した回路（アーム）を、３本並列に接続したものである。アームの中点には、それぞれ出力線が接続され、出力線は、固定子コイル３５の２つのコイルに図３のように接続されている。制御部２５がスタータ回路２６のＩＧＢＴ２６１のオンオフタイミングを制御することにより、図３（ｂ）に示したような、所定の周波数で、位相が９０度ずれた２相の交流電力を２つの固定子コイル３５に供給し、陽極３２を回転させることができる。本実施形態では、制御部２５が、供給する交流電力の供給タイミングと電圧と周波数を制御することにより、最大電圧値を抑制しつつ、所定の回転数で陽極３２を回転させる。
【００２６】
Ｘ線撮影装置を用いて被検体を撮影する際の制御部２５の動作を図４、図５および図６を用いて詳しく説明する。図４は、支持器４の移動を示す説明図であり、図５は、制御部２５の動作を示すフローチャートであり、図６は、電磁ロックスイッチの出力信号とスタータ回路２６の出力を示す説明図である。
【００２７】
まず、操作者は、被検体１００をＸ線撮影台６の前に配置した後、支持器４の電磁ロックスイッチ４１を押して電磁ロックを解除し、支持器４を移動可能にし、被検体１００の近傍まで移動させる。
【００２８】
この電磁ロックの解除により、電磁ロックスイッチの出力信号は、図６の信号波形図に示すように、オンからオフ（解除）に変化する。制御部２５は、図５のステップ５０１において、支持器４の電磁ロック信号がオフになったことを検出すると、ステップ５０２に進んで第１起動期間（予備回転期間）として、スタータ回路２６に、予め定めた第１駆動電力（予備回転用駆動電力）（Ｖ１＝１５０Ｖ、ｆ１＝６０Ｈｚ）の出力を指示する。これにより、Ｘ線管装置３の固定子コイル３５に第１駆動電力が供給され、陽極３２が回転を開始し、回転数が上昇する。制御部２５は、Ｘ線管装置３から陽極３２の回転数を示す信号を受け取っており、ステップ５０３において、回転数が予め定めた回転数ｆ１（＝６０Ｈｚ）に達しているかどうかを判定し、達していない場合には、ステップ５０２に戻る。これにより、回転数がｆ１（＝６０Ｈｚ）に達するまで、第１駆動電力（予備回転用駆動電力）（１５０Ｖ、６０Ｈｚ）を供給しつづける。一般的なＸ線管装置３の場合、第１駆動電力の印加の開始から１０秒程度で陽極３２の回転数がｆ１（＝６０Ｈｚ）まで上昇する。
【００２９】
陽極３２の回転数が、ｆ１＝６０Ｈｚに達した場合には、ステップ５０４に進み、第１保持電力（Ｖ２＝１００Ｖ、ｆ１＝６０Ｈｚ）を間欠的（１０ｓのパルスを６０ｓに１回の周期）にスタータ回路２６に発生させ、固定子コイル３５に供給する（第１保持期間）。これにより、陽極３２の回転数をｆ１（＝６０Ｈｚ）に維持する。
【００３０】
このステップ５０１〜５０４の期間に、操作者は、支持器４を上下、左右、回転移動させることにより、撮影台６から一定の距離のところまで支持器４を移動させ、被検体１００の撮影部位に位置合わせをする。撮影の位置が決まると操作者は撮影室から操作室へ移動する。操作者は、撮影する部位に適したＸ線条件（管電圧、管電流、撮影時間等）を操作卓１にて設定する。設定が終わると、操作卓１に備えられた２段スイッチ構造の撮影スイッチ１１の１段目を押す。撮影スイッチ１１の１段目は、陽極３２を撮影に必要な回転数ｆ２（＝１８０Ｈｚ）まで上昇させるように指示するスイッチ（第１の撮影スイッチ）であり、２段目は、撮影実行（Ｘ線照射）を指示するスイッチ（第２の撮影スイッチ）である。
【００３１】
制御部２５は、ステップ５０５で、撮影スイッチ１１の１段目が押されたことを示す信号を撮影スイッチ１１から受け取ったならば、ステップ５０６に進み、陽極３２を撮影に必要な回転数まで上昇させるため、交流の第２駆動電力（Ｖ２＝３００Ｖ、ｆ２＝１８０Ｈｚ）をスタータ回路２６に発生させ、固定子コイル３５に印加する（第２起動期間）。これにより、陽極３２の回転数が上昇する。すでに陽極３２は、ステップ５０２〜５０４においてｆ１（＝６０Ｈｚ）で予備回転しているため、ステップ５０６ではこの回転数をｆ２（＝１８０Ｈｚ）まで上昇させるのに必要な電力を供給すればよく、第２駆動電力の電圧Ｖ２を低く設定することができる。具体的には、停止状態から一気にｆ２（＝１８０Ｈｚ）まで上昇させる場合に必要な駆動電力の電圧（４００Ｖ）よりも低い電圧３００Ｖに電圧Ｖ２を設定することができる。
【００３２】
制御部２５は、ステップ５０７において回転数が予め定めた回転数ｆ２（＝１８０Ｈｚ）に達しているかどうかを判定し、達していない場合には、ステップ５０６に戻り、第２駆動電力の印加を継続する。一般的なＸ線管装置３の場合、第２駆動電力の印加の開始から２秒程度で陽極３２の回転数がｆ２（＝１８０Ｈｚ）まで上昇する。
【００３３】
ステップ５０７において陽極３２の回転数がｆ２＝１８０Ｈｚに達した場合には、ステップ５０８に進み、制御部２５は、Ｘ線撮影許可信号を出力する。操作卓１は、Ｘ線撮影許可信号を受け取って、Ｘ線撮影許可する表示を操作卓１の表示画面に表示する等して操作者に報知する。ステップ５０９に進み、第２保持電圧信号（Ｖ３＝１００Ｖ、ｆ２＝１８０Ｈｚ）を間欠的に５ｓのパルスを３０ｓに１回の周期でスタータ回路２６に発生させ、固定子コイル３５に印加させる（第２保持期間）。これにより、陽極３２の回転数ｆ２（＝１８０Ｈｚ）を撮影スイッチ１１の２段目が押されるまで維持する。
【００３４】
Ｘ線撮影許可の表示を見た操作者が撮影スイッチ１１の２段目を押した場合、制御部２５は、その信号を受け取って、所定の高電圧の出力を指示する制御信号をインバータ回路２３に出力する（ステップ５１０，５１１）。この制御信号に対応してインバータ回路２３は、所定の高周波交流出力を高電圧発生回路２４に出力し、高電圧発生回路は、直流高電圧をＸ線管装置３の陽極３２と陰極３１間に印加する。これにより、回転数ｆ２（＝１８０Ｈｚ）で高速回転している陽極３２に、陰極３１が発生した電子が照射され、Ｘ線が発生する。Ｘ線は、管球３４を透過し、コリメータ５により照射範囲を制限されて、撮影台６の前の被検体に照射される。被検体を透過したＸ線は、撮影台６のＸ線の受光部によって受光される。これにより、Ｘ線撮影が実行される。Ｘ線撮影の実行後は、スタータ回路２６に停止を指示し、陽極回転３２を停止させる。
【００３５】
なお、予め定めた所定時間が経過しても、撮影スイッチ１１の２段目が押されない場合には、スタータ回路２６に陽極３２の回転を停止させるよう指示し、制御を停止する（ステップ５１２、５１３）。
【００３６】
また、制御部２５は、ステップ５１１でＸ線照射用の高電圧の出力をインバータ回路２３に指示した後、所定の時間が経過するまでは、ステップ５０１には戻らない。これにより、撮影を行った直後に、支持器４の電磁ロックスイッチ４１が解除されても、すぐには第１起動期間に入らないため、操作者は、撮影室８に再び移動して電磁ロックスイッチ４１を解除して被検体から支持器４を遠ざけ、被検者を退室させることができる。これにより、被検者の退室時に陽極３２が再び回転することを防止できる。
【００３７】
なお、ステップ５１５において経過時間以外の判断基準で、ステップ５０１で戻るタイミングを判断することも可能である。例えば、撮影後に電磁ロックスイッチ４１が被検者から支持器４を遠ざけるためにオフされ、遠ざけた位置でオンにされたならば、ステップ５０１に戻るように構成することも可能である。これにより、次の被検体を撮影台６の前に移動させ、再び電磁ロックスイッチ４１をオフにしたならば、ステップ５０１からステップ５０２に進んで、第１駆動電力がＸ線管装置３に供給される。
【００３８】
このように本実施形態では、操作者が撮影スイッチ１１の１段目を押す前に、電磁ロックスイッチ４１の解除のタイミングで、制御部２５が、第１駆動電力をＸ線管装置３に供給させ、陽極３２を予備回転状態（回転数ｆ１＝６０Ｈｚ）にするため、停止した状態から撮影に必要な回転数（ｆ２＝１８０Ｈｚ）まで一気に上昇させる場合に必要な駆動電力の電圧（例えば４００Ｖ）と比較し、低電圧（３００Ｖ）の第２駆動電力で撮影に必要な高速な回転数（ｆ２＝１８０Ｈｚ）まで短時間（例えば２秒）で上昇させることができる。よって、撮影スイッチ１１の１段目を押す際に、被検体に息止めを要求するような撮影方法の場合であっても、短時間で陽極を高速回転させてＸ線を照射することができる。
【００３９】
比較例として、撮影スイッチの１段目がオンされたタイミングで、陽極３２を停止状態から撮影に必要な回転数ｆ２（＝１８０Ｈｚ）まで上昇させる場合を信号波形を図７を用いて説明する。図７のように、撮影スイッチの１段目がオンされると、スタータ回路から固定子コイルに駆動電力として４００Ｖ、１８０Ｈｚの信号が供給される。これにより、停止状態の陽極は、短時間（２秒程度）で一気に回転数１８０Ｈｚまで上昇し、上昇したならば撮影許可を示す表示が点灯する。スタータ回路から固定子コイルには、１００Ｖ、１８０Ｈｚの電圧信号が供給されて１８０Ｈｚの回転を維持し、撮影スイッチの２段目がオンされたならば、陽極と陰極間に所定の高電圧が供給され、Ｘ線撮影が実行される。
【００４０】
また、本実施形態では電磁ロックスイッチ４１がオフにされるタイミングで予備回転をさせるため、別のスイッチを設けて、操作者がその別のスイッチを操作したならば予備を回転させる方法と比較して、スイッチ数が増加せず、操作者の操作項目が増えることもない。よって、従来の装置と同様の操作で、予備回転状態（回転数ｆ１）から低電圧で高速回転状態（回転数ｆ２）にできるという効果が得られる。
【００４１】
また、スタータ回路２６からＸ線管装置３の固定子コイル３５までは、長いケーブル９（例えば２０ｍ程度）で接続されるが、本実施形態では、第１駆動電力（２００Ｖ）および第２駆動電力（３００Ｖ）ともに、従来の駆動電力の電圧（４００Ｖ）よりも低電圧であるため、ケーブル９からの放射ノイズを低減することができる。よって、ケーブル９に配置するローパスフィルタ等のフィルタを小型化できるとともに、ケーブル９として使用するシールドケーブルの構造を簡易化することができる。さらに、駆動電力の電圧が低いため、ケーブル９のシールドに誘起される電流も小さく、シールドからアースに流れる電流を小さくすることができる。よって、アースを介した電源ラインへの伝導ノイズを低減できるという効果もある。
【００４２】
（第２の実施形態）
次に、第２の実施形態について説明する。第１の実施形態では、電磁ロックスイッチ４１がオフになる信号を利用して、第１駆動電力を固定子コイル３５に供給したが、第２の実施形態では、コリメータ５に付属されている照射ランプのスイッチ信号を利用する。
【００４３】
コリメータ５は、可動絞り構造であり、図８のように、Ｘ線照射範囲を拡大縮小するための駆動部５３と、Ｘ線照射範囲を示す光を被検体に向けて照射する照射ランプ５２と、駆動部５３と照射ランプ５２に電力を供給する電源回路５４と、照射ランプ５２をオンオフするスイッチ５１（図１参照）を備えている。
【００４４】
第２の実施形態では、第１の実施形態の電磁ロックスイッチ４１の信号代わりに照射ランプ５２のスイッチ５１の信号を制御部２５が取り込んで、陽極３２の予備回転のための第１駆動電力を発生させる。
【００４５】
操作者は、電磁ロックスイッチ４１をオフにして支持器４を撮影台６の被検体まで移動させた後、照射ランプ５２のスイッチ５１を点灯させ、Ｘ線照射範囲を示す光を被検体に照射して、Ｘ線が照射される範囲が被検体の撮影部位と一致するように位置合わせをする。このとき、制御部２５は、第１の実施形態の図５のフローのステップ５０１において、照射ランプ５２のスイッチ５１がオンされた信号を受け取ったかどうかを判断し、照射ランプ５２のスイッチ５１がオンされたならば、ステップ５０２に進む。ステップ５０２においては、第１駆動電力の出力をスタータ回路２６に指示し、陽極３２を予備回転させる。他の動作は、第１の実施形態と同様であるので説明を省略する。
【００４６】
第２の実施形態のように、コリメータの照射ランプのスイッチ５１がオンされたタイミングで陽極３２を予備回転させることにより、第１の実施形態と同様に、別のスイッチを設ける必要がなく、操作者の操作項目が増えることもない。よって、従来の装置と同様の操作で、予備回転状態（回転数ｆ１）から低電圧で高速回転状態（回転数ｆ２）にできるという効果が得られる。
【００４７】
他の構成及び効果については、第１の実施形態と同様であるので説明を省略する。
【００４８】
（第３の実施形態）
第３の実施形態では、第１の実施形態の電磁ロックスイッチ４１と第２の実施形態の照射ランプ５２のスイッチ５１を両方利用して、２段階で陽極３２の回転数を上昇させる。これを図９の制御フローおよび図１０の信号波形図を用いて説明する。
【００４９】
まず、操作者は、電磁ロックスイッチ４１をオフにして支持器４を移動可能にし、撮影台６の前の被検体に近づける。このとき、制御部２５は、図１０のように、電磁ロックスイッチ４１がオフにされたタイミングで、第１の実施形態と同様のステップ５０１〜５０４を実行する（図９）。これにより、第１-１の駆動電力（１５０Ｖ、６０Ｈｚ）をスタータ回路２６から固定子コイル３５に供給し、陽極回転数をｆ１（＝６０Ｈｚ）まで上昇させる。
【００５０】
そして、操作者が、支持器４を被検体６に近づけた後、コリメータ５の照射ランプ５２のスイッチ５１を点灯させ、Ｘ線照射範囲を示す光を被検体に照射して、Ｘ線が照射される範囲が被検体の撮影部位と一致しているかどうか確認する。制御部２５は、図９のフローのステップ１５０１に進み、照射ランプ５２のスイッチ５１がオンされた信号を受け取ったならば、ステップ１５０２に進み、第１−２の駆動電力（２００Ｖ、１２０Ｈｚ）をスタータ回路２６から固定子コイル３５に供給し、陽極回転数をｆ１’（＝１２０Ｈｚ）まで上昇させる（ステップ１５０２）。陽極回転数がｆ１’（＝１２０Ｈｚ）まで上昇したならば、１００Ｖ、１２０Ｈｚの駆動電力を間欠的に供給し、回転数ｆ１’を維持する。
【００５１】
このように、２段階で陽極３２の回転数を上昇させることにより、低電圧で１２０Ｈｚまで上昇させることができる。よって、次のステップ５０５で撮影スイッチ１１の１段目がオンされた場合には、低電圧の第２駆動電力（２５０Ｖ、１８０Ｈｚ）を短時間（例えば２秒）供給するだけで、陽極回転数を１８０Ｈｚまで上昇させることができる（ステップ１５０６）。次のステップ５０７以降は、第１の実施形態と同様であるので説明を省略する。
【００５２】
第３の実施形態では、駆動電力の電圧値が、第１および第２の実施形態よりも低い２５０Ｖであっても短時間でＸ線照射に必要な回転数まで高めることができる。よって、放射ノイズや伝導ノイズの低減の効果をより高めることができる。
【００５３】
他の構成および効果は、第１および第２の実施形態と同様であるので説明を省略する。
【符号の説明】
【００５４】
１…操作卓、２…Ｘ線高電圧装置、３…Ｘ線管装置３…支持器、５…コリメータ、６…撮影台、７…操作室、８…撮影室、９…ケーブル、１１…撮影スイッチ、４１…電磁ロックスイッチ
【図１】
2014191935.tif 000003
【図２】
2014191935.tif 000004
【図３】
2014191935.tif 000005
【図４】
2014191935.tif 000006
【図５】
2014191935.tif 000007
【図６】
2014191935.tif 000008
【図７】
2014191935.tif 000009
【図８】
2014191935.tif 000010
【図９】
2014191935.tif 000011
【図１０】
2014191935.tif 000012